(57)【要約】      （修正有）【課題】簡単且つ良好に衣服地１をコンパクト収納保持することが可能な画期的で従来にない収納紐付き衣服を提案する。【解決手段】衣服地１に固定した伸縮性のある紐２の一部を衣服地１の表地表面若しくは裏地ｂ表面に露出状態に設けて伸長引き出し自在に設け、この露出している紐２の一部をつかんで伸長引き出した紐２で、丸めた若しくは畳んだ状態を輪止め若しくは巻き止め又は互いに係止連結若しくは結び連結してコンパクト収納保持し得るように構成した収納紐付き衣服。【選択図】図５
0003107655.tif 000002
【実用新案登録請求の範囲】
【請求項１】
衣服地に固定した伸縮性のある紐の一部を衣服地の表地表面若しくは裏地表面に露出状態に設けて伸長引き出し自在に設け、この露出している紐の一部をつかんで伸長引き出した紐で、丸めた若しくは畳んだ状態を輪止め若しくは巻き止め又は前記複数の紐を互いに係止連結若しくは結び連結してコンパクト収納保持し得るように構成したことを特徴とする収納紐付き衣服。
【請求項２】
前記露出状態に設けた紐は、少なくともその両端部が衣服地に固定された紐の一部を露出状態に設けて、この露出している紐の一部をつかんで伸長引き出した紐で、丸めた若しくは畳んだ状態を輪止め若しくは巻き止めしてコンパクト収納保持し得るように構成したことを特徴とする請求項１記載の収納紐付き衣服。
【請求項３】
前記紐の一部を衣服地や表地表面に設けたことを特徴とする請求項１，２のいずれか１項に記載の収納紐付き衣服。
【請求項４】
前記紐の一部を袖端部，裾端部などの衣服地の端部に設けたことを特徴とする請求項１〜３のいずれか１項に記載の収納紐付き衣服。
【請求項５】
前記端部を縫い着固定した紐の一部を表地若しくは裏地に形成した開口部から表面に外出して露出状態に設けたことを特徴とする請求項１〜４のいずれか１項に記載の収納紐付き衣服。
【請求項６】
少なくとも前記紐の露出する部分は、柄若しくは色付きのゴムコードとしたことを特徴とする請求項１〜５のいずれか１項に記載の収納紐付き衣服。
【考案の詳細な説明】
【技術分野】
【０００１】
本考案は、収納紐付き衣服に関するものである。
【背景技術】
【０００２】
衣服をコンパクトにするには様々な方法がある。
【０００３】
例えば、衣服を所謂真空パック状態にする方法などの、専用の道具を用いた衣類のコンパクト化手段があるが、これらの手段はいつでも気軽に行うことができず、例えば、各個に専用の道具が必要なため道具を購入し取り揃えるなどの準備が必要であったり、また、例えば、一度衣服のコンパクト化を解除（例えば、真空パック状態の衣類の開封）してしまうと、再度衣服をコンパクト化する際に煩雑な作業（例えば、掃除機を用いた衣類の再真空パック化）を要する場合があるなど、面倒である。
【０００４】
また、例えば、衣服を折り畳んでコンパクトにする方法は、道具や準備などの手間がかからずいつでも気軽に行えるが、しかし、せっかく綺麗に折り畳んでコンパクトにしても、自然にコンパクトな状態が解消されてしまうという所謂形崩れが生ずる場合があり、例えばタンスの引き出しや収納ボックス内でバラバラと形崩れして散らかったり、特に、トランクケースやリュックサックなどの収納体に収納して持ち運んだりすると、持ち運びによる振動が生じた際や、該収納体内を手で物色した際などに簡単に折り畳んで収納した衣服が形崩れして該収納体内で散らかってしまうなどの問題がある。
【０００５】
上述のように、衣類をコンパクトにするには様々な方法があるが、しかし、専用の道具を必要とせず、単に、衣服自身の一部分を利用して、極めて簡単にいつでも気軽に該衣服のコンパクト化及びコンパクト化解除を行うことができる構成のものはない。
【考案の開示】
【考案が解決しようとする課題】
【０００６】
本考案は、上述のような問題に鑑みて完成したものであって、衣服地に固定した伸縮性のある紐の一部を衣服地の表地表面若しくは裏地表面に露出状態に設けて伸長引き出し自在に設けた構成とし、この露出している紐の一部をつかんで伸長引き出した紐で、丸めた若しくは畳んだ状態を輪止め若しくは巻き止め又は互いに係止連結若しくは結び連結してコンパクト収納保持し得る構成としたもので、前記紐によって、折角丸めた若しくは畳んだ衣服地が自然に形崩れが生ずることが阻止され、簡単且つ確実に衣服地をコンパクト収納保持でき、しかも、形崩れが生ずる心配がないのでそれだけ前記衣服地を一層小さくコンパクトに丸める若しくは畳むことができるから、一層コンパクトにして良好な収納保持が可能となり、よって、例えば、タンスの引き出しや収納ボックス内に綺麗に収納することができ、また、例えば、トランクケースやリュックサックなどにコンパクトに収納できるから、例えば長期旅行など、衣類地の携行数が多い場合にもコンパクトにして良好に持ち運ぶことができるなど、実用的な収納紐付き衣服を提供することを目的としている。
【０００７】
しかも、本考案は、道具や準備、又は複雑な作業などを要さず、単に、衣服地自身に設けられた前記紐を、露出した部分を指でつまむなどして伸長引き出して簡単に衣服地をコンパクト収納保持できたり、同様に前記紐を指でつまむなどして簡単に前記コンパクト収納保持状態を解除できるなど、簡易構成にして作業性にも秀れ、いつでも気軽に衣服地をコンパクト収納保持できることを特徴としており、また、衣服地の通常使用時、即ち、着衣時には前記紐は僅かしか露出せず目立たないので、該衣類地の美的外観を損ねることなく、更に、例えば、この紐を柄若しくは色付きとすることで、前記衣類地を着用した際には、前記紐の露出した部分がさり気ないオシャレな装飾ポイントとして認識されることとなり、美的外観を増すことも可能であることを特徴とした、極めて実用性に秀れた画期的な収納紐付き衣服を提供することを目的としている。
【課題を解決するための手段】
【０００８】
添付図面を参照して本考案の要旨を説明する。
【０００９】
衣服地１に固定した伸縮性のある紐２の一部を衣服地１の表地ａ表面若しくは裏地ｂ表面に露出状態に設けて伸長引き出し自在に設け、この露出している紐２の一部をつかんで伸長引き出した紐２で、丸めた若しくは畳んだ状態を輪止め若しくは巻き止め又は前記複数の紐２を互いに係止連結若しくは結び連結してコンパクト収納保持し得るように構成したことを特徴とする収納紐付き衣服に係るものである。
【００１０】
また、前記露出状態に設けた紐２は、少なくともその両端部が衣服地１に固定された紐２の一部を露出状態に設けて、この露出している紐２の一部をつかんで伸長引き出した紐２で、丸めた若しくは畳んだ状態を輪止め若しくは巻き止めしてコンパクト収納保持し得るように構成したことを特徴とする請求項１記載の収納紐付き衣服に係るものである。
【００１１】
また、前記紐２の一部を衣服地１や表地ａ表面に設けたことを特徴とする請求項１，２のいずれか１項に記載の収納紐付き衣服に係るものである。
【００１２】
また、前記紐２の一部を袖端部，裾端部などの衣服地１の端部に設けたことを特徴とする請求項１〜３のいずれか１項に記載の収納紐付き衣服に係るものである。
【００１３】
また、前記端部を縫い着固定した紐２の一部を表地ａ若しくは裏地ｂに形成した開口部３から表面に外出して露出状態に設けたことを特徴とする請求項１〜４のいずれか１項に記載の収納紐付き衣服に係るものである。
【００１４】
また、少なくとも前記紐２の露出する部分は、柄若しくは色付きのゴムコード２としたことを特徴とする請求項１〜５のいずれか１項に記載の収納紐付き衣服に係るものである。
【考案の効果】
【００１５】
本考案は上述のように構成したから、衣服地の表面から紐が露出しており、この露出した部分を指でつまむなどして簡単に該紐をつかんで伸長引き出すことができ、また、この紐が伸縮性を有するが故に必要十分な長さだけ良好に伸長引き出して、この紐で丸めた若しくは畳んだ状態の衣服地を輪止め若しくは巻き止め又は前記複数の紐を互いに係止連結若しくは結び連結することができるなど、特別な道具や煩雑な作業などを要さず、誰でも極めて簡単に前記衣服地をコンパクト収納保持することができることとなり、更に、簡易構成で、コスト高の心配もなく、低コストで製造可能な構成でありながら、上述のような秀れた作業性を有する構成となる画期的で極めて実用性に秀れた収納紐付き衣服となる。
【００１６】
また、請求項２記載の考案においては、例えば、二本の紐を互いに係止連結したり結び連結したりする必要なく、単に、前記丸めた若しくは畳んだ衣服地に一本の連続紐を被嵌させて輪止め若しくは巻き止めすることで一層簡単に前記衣服地をコンパクト収納保持でき、また、前記輪止め若しくは巻き止め状態を解除する際にも、紐を引っ張って簡単に解除できるなど、一層作業性に秀れる。
【００１７】
また、請求項３記載の考案においては、前記衣服地をコンパクト収納保持した際に、前記紐を取り付けた箇所を折り返して（ひっくり返して）衣服地の裏地表面が見えてしまい体裁が悪くなるということがなく、更に、折り返した状態で固定されることによって折り返した箇所に折り目（クセ）が付いてしまう心配もないなど、一層実用性に秀れる。
【００１８】
また、請求項４記載の考案においては、前記衣服地を着用した際に、前記紐が目立たたず、この紐が目立つ箇所に設けることによって前記衣服地の美的外観を損ねてしまうことが阻止され、更に、端部にさり気なく前記紐が設けられていることによって、該紐がさり気ないオシャレとして、即ち、装飾ポイントとしての機能も発揮し得るなど、一層実用性に秀れる。
【００１９】
また、衣服地の端部に前記紐を設けたので、該衣服地を丸めた若しくは畳んだ後に、該紐を設けた箇所が内側に埋もれてしまい引き出せなくなってしまうことなく、前記紐を設けた箇所が外側に露出して紐を指でつまむなどして良好に伸長引き出せ得るように考慮して前記衣服地を丸める若しくは畳む作業が容易となり、一層作業性に秀れることとなる。
【００２０】
また、請求項５記載の考案においては、前記衣服地を着用した際に、前記紐が一層目立たなくなるから、一層該紐によって前記衣服地の美的外観を損ねることが阻止される。
【００２１】
また、請求項６記載の考案においては、前記紐を、柄若しくは色付のゴムコードとすることで、該ゴムコードは前記衣服地をコンパクト収納保持し得るだけでなく、該衣類地を着用した際には、該ゴムコードの露出した部分がオシャレな装飾ポイントとして認識されることとなるから、したがって、秀れたコンパクト収納保持機能だけでなく、該衣服地の美的外観を増す機能も果たすなど、一層実用性に秀れる。
【考案を実施するための最良の形態】
【００２２】
好適と考える本考案の実施形態を、図面に基づいて本考案の作用を示して簡単に説明する。
【００２３】
衣服地１に固定した伸縮性のある紐２の一部を衣服地１の表地ａ表面若しくは裏地ｂ表面に露出状態に設けて伸長引き出し自在に設けた該紐２の、露出している一部をつかんで伸長引き出し、この紐２によって丸めた若しくは畳んだ状態の前記衣服地１を輪止め若しくは巻き止め又は前記複数の紐２を互いに係止連結若しくは結び連結することによって、該衣服地１はコンパクト収納保持されることとなる。
【００２４】
即ち、例えば、前記衣服地１の表地ａ表面若しくは裏地ｂ表面から露出した前記紐２を、指でつまむなどして簡単につかんで引き出すことができ、しかも、この紐２が伸縮性を有し簡単に必要十分な長さだけを伸長引き出すことができるなど、作業性に秀れた構成であるが故に、簡易作業によって簡単に前記衣服地１をコンパクト収納保持し得ることとなる。
【００２５】
更に、衣服地１に伸縮性のある紐２を固定して設けるだけの簡易構成にしてコスト安な構成であり、よって、例えば、著しく量産性を損ねたり、コスト高となる心配がなく、あくまで従来の衣服品と同様な量産性及び生産コストで製造することが可能でありながら、上述のような秀れた収納機能を発揮することが可能となる。
【００２６】
従って、本考案によれば、例えば、前記紐２の露出した部分を指でつまむなどして伸長引き出して、丸めた若しくは畳んだ状態の前記衣服地１を前記紐２で巻き止めするなどして簡単に小さくコンパクト収納保持することができ、しかも、この紐２によって該衣服地１が自然に形崩れしてバラバラと散らばってしまうことが阻止されるので、タンスの引き出しや収納ボックスなどに綺麗に収納することができ、しかも、より小さくコンパクトに丸める若しくは畳むほど形崩れが生じやすいが、しかし、本考案においては、この形崩れの心配がないから、一層小さくコンパクトに丸める若しくは畳んで良好にトランクケースやリュックサックなどの収納物に収納できることとなる。
【００２７】
また、請求項２記載の考案においては、前記露出状態に設けた紐２は、少なくともその両端部が衣服地１に固定された紐２の一部を露出状態に設けたものであり、即ち、露出状態の紐２は、例えば、一箇所で分割された二本の紐２などといった構成でなく、一本の連続紐２であるから、例えば、前記丸めた若しくは畳んだ状態の前記衣服地１を二本の紐２によって互いに係止連結若しくは結び連結などする必要がなく、単に、一本の連続紐２を前記丸めた若しくは畳んだ状態の前記衣服地１に被嵌させて輪止め若しくは巻き止めする簡易作業で前記衣服地１がコンパクト収納保持されることとなる。
【００２８】
また、例えば、この衣服地１の前記輪止め若しくは巻き止め状態を解除する際にも、例えば、二本の紐２の互いの係止を解除したり、結び目を解いたりする作業が必要なく、単に、一本の紐２を指でつまんで引っ張るなどして簡単に輪止め若しくは巻き止め状態を解除できることとなる。
【００２９】
また、請求項３記載の考案においては、仮に前記紐２の一部を前記衣服地１の裏地ｂ表面に設けた場合には、該衣服地１を前記コンパクト収納保持状態とした際に、前記裏地ｂ表面の前記紐２の一部を設けた箇所は、裏地ｂ表面を折り返して（ひっくり返して）表側とするので、該裏地ｂ表面が見えてしまい体裁が悪く、しかも、前記折り返した箇所に折り目（クセ）が付いてしまう心配があるなどの問題があるが、本考案においては、前記紐２の一部をの前記衣服地１や表地ａ表面に設けることで、該衣服地１を前記コンパクト収納保持状態とした際に該紐を設けた箇所を折り返す必要が無く、これらの問題も解決されることとなる。
【００３０】
また、請求項４記載の考案においては、例えば、衣服地１の中央など目立つ所に前記紐２を設けるのではなく、袖端部，裾端部などの衣服地１の端部に設けることによって、この衣服地１の通常使用時、即ち、着用時には、前記紐２が目立たなくなり、該紐２によって前記衣服地１の美的外観が損なわれることが阻止され、更に、端部に目立たないようにさり気なく露出する前記紐２は、装飾ポイントともなり得る。
【００３１】
また、前記紐２が設けられる箇所が衣服地１の端部であると、衣服地１を丸める若しくは畳む作業が一層容易となる。即ち、該衣服地１を丸めた若しくは畳んだ状態で前記紐２を良好に指でつまむなどして伸長引き出す為には、前記衣服地１を丸める若しくは畳む際に前記紐２を設けた箇所を丸め残す若しくは畳み残す、又は、前記紐２を設けた箇所を丸め端側若しくは畳み端側とする必要があり、これが前記紐２を設けた箇所が前記衣服地１の端部ではなく中央寄りなどであると、困難である。
【００３２】
また、請求項５記載の考案においては、前記端部を縫い着固定した紐２は、一部を表地ａ若しくは裏地ｂに形成した開口部３から表面に外出して露出状態となるように設けることで、開口部３から表面に外出した露出箇所以外の部位は前記表地ａ若しくは裏地ｂに嵌挿された状態となるから、該衣服地１の通常の使用時、即ち、着用時には前記紐２は一層目立たなくなる。
【００３３】
また、請求項６記載の考案においては、少なくとも前記紐２の露出する部分は、柄若しくは色付きのゴムコード２とした場合には、該ゴムコード２は良好に伸縮することで作業性に秀れることは勿論、該ゴムコード２は、単に、無粋で飾り気のないものではなく、柄若しくは色付きのゴムコード２であるが故に、前記衣服地１を着用した際には、該ゴムコード２の露出した部分が、該衣服地１のオシャレな装飾ポイントとして認識され得ることとなり、従って、秀れたコンパクト収納保持機能だけでなく、前記衣服地１の美的外観を増す装飾機能も果たすことが可能な秀れたゴムコード２となる。
【実施例】
【００３４】
本考案の具体的な実施例について図面に基づいて説明する。
【００３５】
本実施例は、衣服地１に固定した伸縮性のある紐２の一部を衣服地１の表地ａ表面に露出状態に設けて伸長引き出し自在に設け、この露出している紐２の一部をつかんで伸長引き出した紐２で、丸めた若しくは畳んだ状態を輪止め若しくは巻き止めしてコンパクト収納保持し得るように構成した収納紐付き衣服である。
【００３６】
紐２は一部を衣服地１の端部、本実施例においては図１に図示したように、袖端部に設けた。尚、この紐２は一部を前記衣服地１の袖端部に設けた構成であるが、これに限らず、例えば、図６に図示したように、裾端部に設けた構成としても良く、この他にも、本実施例の機能を発揮し得るものであれば、どのような部位に設けた構成としても良い。
【００３７】
また、この紐２は、図２に図示したように、該紐２の一部を衣服地１や表地ａ表面、即ち、前記衣服地１の表地ａ側に露出するように設けた構成である。
【００３８】
また、この紐２は、図３に図示したように、その両端部が衣服地１に固定されると共に、該紐２の一部が表地ａ表面側に露出状態となるように設けた。
【００３９】
前記紐２は、連続する一本の紐２を採用しているが、例えば、一端を前記衣服地１に固定した二本の紐２を採用しても良く、この場合には、丸めた若しくは畳んだ状態の衣服地１を、前記二本の紐２を互いに係止連結若しくは結び連結して該衣服地１をコンパクト収納保持する構成とすれば良い。
【００４０】
また、この紐２は、具体的には、図３に図示したように、前記衣服地１の左側の袖端部を内側に折り返して端縁を縫い着固定して、内部に該紐２を嵌挿可能な円環袋状の紐出入り部４を形成し、この紐出入り部４の前記表地ａ側に該紐２が挿通可能な径を有する開口部３を並設状態に二つ形成すると共に、この紐出入り部４内に該紐２を嵌挿し、この紐２の両端部を前記紐出入り部４に縫い着固定（本実施例ではカン止め）し、この紐２の一部、中央側が前記二つの開口部３を挿通して該開口部３から前記表地ａ表面側に露出するように構成した。
【００４１】
尚、前記並設状態の二つの開口部３は、前記紐出入り部４の表地ａ側ではなく裏地ｂ側に形成しても良く、この場合は、前記紐２の一部、中央側が、前記裏地ｂに形成した開口部３を挿通して該開口部３から前記裏地ｂ表面側に露出するように構成される。
【００４２】
また、前記紐２は一本の線状（曲線状）に形成し、この両端部を前記紐出入り部４内にて縫い着（カン止め）した構成であるが、この紐２は輪状に形成しても良く、この輪状の紐２を、円環袋状である前記紐出入り部４にて輪状に収納保持される構成としても良い。
【００４３】
また、この紐２は、通常時、即ち、前記衣服地１着用時においては余り露出しすぎず、且つ、この紐２を指などでつまんで伸長引き出す際のつまみ易さを考慮して、該紐の通常時の露出量、即ち、前記並設状態の二つの開口部３間の距離を約４ｃｍに設定した。
【００４４】
また、この紐２は、少なくとも前記紐２の露出する部分、本実施例では該紐２全てを、柄若しくは色付きのゴムコード２で構成した。
【００４５】
また、このゴムコード２の通常時における長さ、及び、伸縮性は、丸めた若しくは畳んだ状態の前記衣服地１に該ゴムコード２を適宜な締め付け力で囲繞状態に良好に輪止め若しくは巻き止めし得るような長さ及び伸縮性に設定した。
【００４６】
また、本実施例においては、図５に図示したように、該ゴムコード２を一重巻きに輪止め若しくは巻き止めし得る長さに前記ゴムコード２を設定した構成であるが、例えば、二重巻き，三重巻きに輪止め若しくは巻き止めし得る長さに設定しても良い。
【００４７】
本実施例は上述のように構成したから、衣服地１の袖端部に形成した前記紐出入り部４内に縫い着して設けた前記ゴムコード２（紐２）の、図３に図示したように露出している部分を、例えば、指でつまむなどして、図４に図示したように伸長引き出し、このゴムコード２によって丸めた若しくは畳んだ状態の前記衣服地１を、図５に図示したように、輪止め若しくは巻き止めすることによって、該衣服地１はコンパクト収納保持されることとなる。
【００４８】
即ち、例えば、前記衣服地１の表地ａ表面から露出した前記ゴムコード２を、指でつまむなどして簡単につかんで引き出すことができ、しかも、この紐２が伸縮性を有し簡単に必要十分な長さだけを伸長引き出すことができるなど、作業性に秀れた構成であるが故に、簡易作業によって簡単に前記衣服地１をコンパクト収納保持し得ることとなる。
【００４９】
更に、衣服地１に前記ゴムコード２を縫い着して設けるだけの簡易構成にしてコスト安な構成であり、例えば、著しく量産性を損ねたり、コスト高となる心配がなく、あくまで従来の衣服品と同様な量産性及び生産コストで製造することが可能であり、それでいて上述のような秀れた収納機能を発揮し得ることとなる。
【００５０】
よって、本実施例においては、特別な道具や煩雑な作業などを要さず、簡単な手順によって、誰でも極めて簡単に前記衣服地１をコンパクト収納保持することができることとなり、例えば、前記ゴムコード２によって折角丸めた若しくは畳んだ衣服地１が形崩れしてしまう心配が無く、タンスの引き出しや収納ボックスなどに綺麗に収納することができ、しかも、小さくコンパクトに丸める若しくは畳むほど、形崩れし易くなるが、この点、本実施例においては、形崩れの心配はないので、それだけ一層小さくコンパクトに丸める若しくは畳めることが可能となり、例えば、長期旅行など衣服地１を大量枚数携行する際にも、バラバラと散らばることなく、トランクケースなどに綺麗に収納することができ、しかも、特別な道具など必要なく、単に、衣服地１に予め縫い着されている前記ゴムコード２によってコンパクト収納保持できるから、旅行先など、いつでも簡単に衣服地１を整理整頓することができるなど、極めて実用性にすぐれ、更に、簡易構成で、コスト高の心配もなく、低コストで製造可能な構成でありながら、上述のような秀れた作業性を有する構成となるなど、極めて実用性に秀れた画期的で商品価値の高い収納紐付き衣服となる。
また、本実施例においては、前記露出状態に設けたゴムコード２は、一本の連続したゴムコード２であるから、例えば、前記丸めた若しくは畳んだ状態の前記衣服地１を二本のゴムコード２によって互いに係止連結若しくは結び連結などする必要がなく、単に、一本のゴムコード２によって、この、丸めた若しくは畳んだ状態の前記衣服地１に適宜な締め付け力で良好に輪止め若しくは巻き止めし得る長さ及び伸縮性に設定されたゴムコード２を指でつまむなどして伸長引っ張って前記衣服地１に被嵌させるだけで簡単に該衣服地１をコンパクト収納保持することができ、当然、該ゴムコード２を前記衣服地１から外す際にも同様に、指でつまむなどして簡単に外すことができるなど、この点においても作業性に秀れる。
【００５１】
また、本実施例においては、仮に前記ゴムコード２が裏地ｂ側から露出する構成とした場合には、該衣服地１を前記コンパクト収納保持状態とした際に、前記ゴムコード２が設けられた袖端部を裏地ｂが表側となるように折り返される（ひっくり返される）ので、該裏地ｂ表面が見えてしまい体裁が悪く、しかも、前記折り返した箇所に折り目（クセ）が付いてしまう心配があるなどの問題があるが、本実施例においては、このような問題も解決される。
【００５２】
また、本実施例においては、例えば、衣服地１の中央など目立つ所に前記ゴムコード２を設けるのではなく、袖端部，裾端部などの衣服地１の端部に設けることによって、この衣服地１の通常使用時、即ち、着用時には、前記ゴムコード２が目立たなくなり、よって、該ゴムコード２によって前記衣服地１の美的外観が損なわれることがないだけでなく、更に、図２に図示したように、袖端部に目立たぬように露出するよう設けられた該ゴムコード２が、さり気なくオシャレを演出する装飾ポイントとなり、美的外観が損なわれないだけでなく、むしろ良好となるなど、この点においても、一層実用性に秀れるものである。
【００５３】
また、本実施例においては、衣服地１の袖端部に前記ゴムコード２を縫い着したので、該衣服地１を、丸めた若しくは畳んだ後に、例えば、図５に図示したように、袖端部は丸め込まず、図５中、左側から突出させるなどすることで、前記ゴムコード２を指でつまむなどして伸長引き出し易く、また、更に、この図５中、左側から突出した袖端部を、（図５中、右側に）折り返すことで、丸めた若しくは畳んだ状態の前記衣服地１の略中央位置にてゴムコード２を被嵌させることができ、一層良好に輪止め若しくは巻き止めできるなど、この点においても、作業性に秀れる。
【００５４】
また、本実施例においては、前記二つの並設状態の開口部３を挿通して前記ゴムコード２の一部、中央側が露出するように構成しており、更に、この開口部３間の距離を、前記ゴムコード２をつまみ易く、それでいて、余り露出量が多すぎないように考慮して適宜設定した構成であり、作業性は勿論、該衣服地１の美的外観が一層増すこととなるなど、一層実用性に秀れる。
【００５５】
また、本実施例においては、前記ゴムコード２は長さ及び伸縮性が適宜設定されているために作業性に秀れるのは勿論、更に、該ゴムコード２は、単に、無粋で飾り気のないものではなく、柄若しくは色付きのゴムコード２であるが故に、前記衣服地１を着用した際には、前記開口部３から表地ａ表面側に露出した前記ゴムコード２が、さり気なくオシャレを演出する装飾ポイントとして認識されることなるなど、秀れた装飾機能も発揮し得るものであり、この点においても、一層実用性に秀れる。
【００５６】
尚、本考案は、本実施例に限られるものではなく、各構成要件の具体的構成は適宜設計し得るものである。
【図面の簡単な説明】
【００５７】
【図１】本実施例に係る収納紐付き衣服の説明図である。
【図２】本実施例に係る収納紐付き衣服の着用時の斜視図である。
【図３】本実施例に係る収納紐付き衣服の要部説明図である。
【図４】本実施例に係る収納紐付き衣服の要部説明図である。
【図５】本実施例に係る収納紐付き衣服のコンパクト収納保持状態の斜視図である。
【図６】本実施例に係る収納紐付き衣装の別例の説明図である。
【符号の説明】
【００５８】
１  衣服地
２  紐，ゴムコード
３  開口部
ａ  表地
ｂ  裏地
【図１】
0003107655.tif 000003
【図２】
0003107655.tif 000004
【図３】
0003107655.tif 000005
【図４】
0003107655.tif 000006
【図５】
0003107655.tif 000007
【図６】
0003107655.tif 000008